(57)【要約】端末１００が、端末１００の移動速度を検出し、検出した移動速度に応じてソフトハンドオーバー未使用状態の無線リンク１０２とソフトハンドオーバー使用状態の無線リンク１０３との間で無線リンクの切替えが必要か否かを判断し、無線リンクの切替えが必要な場合に無線リンクの切替えを要求するソフトハンドオーバー使用／未使用切替要求１０６を基地局１０１に送信し、基地局１０１ではソフトハンドオーバー使用／未使用切替要求１０６に基づきソフトハンドオーバー使用／未使用の切替えを行い、更に、端末１００にソフトハンドオーバー使用／未使用の切替えを指示するソフトハンドオーバー使用／未使用切替指示１０７を送信し、端末１００ではソフトハンドオーバー使用／未使用切替指示１０７に基づきソフトハンドオーバー使用／未使用の切替えを行う。
2003105518.tif 000002
【特許請求の範囲】
【請求項１】
複数の無線リンクが設定され、前記複数の無線リンクのうちのいずれかを使用してデータ通信を行う基地局装置と移動端末装置とを有する無線通信システムであって、
前記基地局装置及び前記移動端末装置は、
前記移動端末装置の移動速度に基づき、データ通信に使用する無線リンクの切替処理を行うことを特徴とする無線通信システム。
【請求項２】
前記移動端末装置は、
自装置の移動速度を検出し、
検出した自装置の移動速度に基づき、現在使用中の無線リンクから他の無線リンクへの切替えが必要か否かを判断し、
他の無線リンクへの切替えが必要な場合に、現在使用中の無線リンクから他の無線リンクへの切替えを要求する切替要求を前記基地局装置に送信し、
前記基地局装置は、
前記移動端末装置より前記切替要求を受信した場合に、データ通信に使用する無線リンクを現在使用中の無線リンクから他の無線リンクへ切替えるとともに、データ通信に使用する無線リンクを切替えるよう指示する切替指示を前記移動端末装置に送信し、
前記移動端末装置は、
前記基地局装置より前記切替指示を受信した場合に、データ通信に使用する無線リンクを現在使用中の無線リンクから他の無線リンクへ切替えることを特徴とする請求項１に記載の無線通信システム。
【請求項３】
前記複数の無線リンクとして、ソフトハンドオーバー対応のソフトハンドオーバー対応無線リンクとソフトハンドオーバー非対応のソフトハンドオーバー非対応無線リンクとが前記基地局装置と前記移動端末との間に設定されており、
前記移動端末装置は、
検出した自装置の移動速度が所定の閾値以上であるか否かを判断するとともに、現在使用中の無線リンクが前記ソフトハンドオーバー対応無線リンク及び前記ソフトハンドオーバー非対応無線リンクのうちのいずれであるかを判断し、
検出した自装置の移動速度が所定の閾値以上であり、現在使用中の無線リンクが前記ソフトハンドオーバー非対応無線リンクである場合に、前記ソフトハンドオーバー非対応無線リンクから前記ソフトハンドオーバー対応無線リンクへの切替えを要求するソフトハンドオーバー対応無線リンク切替要求を前記基地局装置に送信し、
検出した自装置の移動速度が所定の閾値未満であり、現在使用中の無線リンクが前記ソフトハンドオーバー対応無線リンクである場合に、前記ソフトハンドオーバー対応無線リンクから前記ソフトハンドオーバー非対応無線リンクへの切替えを要求するソフトハンドオーバー非対応無線リンク切替要求を前記基地局装置に送信し、
前記基地局装置は、
前記移動端末装置より前記ソフトハンドオーバー対応無線リンク切替要求を受信した場合に、データ通信に使用する無線リンクを前記ソフトハンドオーバー非対応無線リンクから前記ソフトハンドオーバー対応無線リンクへ切替えるとともに、データ通信に使用する無線リンクを前記ソフトハンドオーバー非対応無線リンクから前記ソフトハンドオーバー対応無線リンクへ切替えるよう指示するソフトハンドオーバー対応無線リンク切替指示を前記移動端末装置に送信し、
前記移動端末装置よりソフトハンドオーバー非対応無線リンク切替要求を受信した場合に、データ通信に使用する無線リンクを前記ソフトハンドオーバー対応無線リンクから前記ソフトハンドオーバー非対応無線リンクへ切替えるとともに、データ通信に使用する無線リンクを前記ソフトハンドオーバー対応無線リンクから前記ソフトハンドオーバー非対応無線リンクへ切替えるよう指示するソフトハンドオーバー非対応無線リンク切替指示を前記移動端末装置に送信し、
前記移動端末装置は、
前記基地局装置より前記ソフトハンドオーバー対応無線リンク切替指示を受信した場合に、データ通信に使用する無線リンクを前記ソフトハンドオーバー非対応無線リンクから前記ソフトハンドオーバー対応無線リンクへ切替え、
前記基地局装置より前記ソフトハンドオーバー非対応無線リンク切替指示を受信した場合に、データ通信に使用する無線リンクを前記ソフトハンドオーバー対応無線リンクから前記ソフトハンドオーバー非対応無線リンクへ切替えることを特徴とする請求項２に記載の無線通信システム。
【請求項４】
前記移動端末装置は、
自装置の移動速度を検出するとともに、検出した自装置の移動速度を示す移動速度情報を前記基地局装置に送信し、
前記基地局装置は、
前記移動端末装置より前記移動速度情報を受信し、
受信した前記移動速度情報に示された前記移動端末装置の移動速度に基づき、現在使用中の無線リンクから他の無線リンクへの切替えが必要か否かを判断し、
他の無線リンクへの切替えが必要な場合に、データ通信に使用する無線リンクを現在使用中の無線リンクから他の無線リンクへ切替えるとともに、データ通信に使用する無線リンクを切替えるよう指示する切替指示を前記移動端末装置に送信し、
前記移動端末装置は、
前記基地局装置より前記切替指示を受信した場合に、データ通信に使用する無線リンクを現在使用中の無線リンクから他の無線リンクへ切替えることを特徴とする請求項１に記載の無線通信システム。
【請求項５】
前記複数の無線リンクとして、ソフトハンドオーバー対応のソフトハンドオーバー対応無線リンクとソフトハンドオーバー非対応のソフトハンドオーバー非対応無線リンクとが前記基地局装置と前記移動端末との間に設定されており、
前記基地局装置は、
前記移動端末装置より前記移動速度情報を受信した場合に、前記移動速度情報に示された前記移動端末装置の移動速度が所定の閾値以上であるか否かを判断するとともに、現在使用中の無線リンクが前記ソフトハンドオーバー対応無線リンク及び前記ソフトハンドオーバー非対応無線リンクのうちのいずれであるかを判断し、
前記移動端末装置の移動速度が所定の閾値以上であり、現在使用中の無線リンクが前記ソフトハンドオーバー非対応無線リンクである場合に、データ通信に使用する無線リンクを前記ソフトハンドオーバー非対応無線リンクから前記ソフトハンドオーバー対応無線リンクへ切替えるとともに、データ通信に使用する無線リンクを前記ソフトハンドオーバー非対応無線リンクから前記ソフトハンドオーバー対応無線リンクへ切替えるよう指示するソフトハンドオーバー対応無線リンク切替指示を前記移動端末装置に送信し、
前記移動端末装置の移動速度が所定の閾値未満であり、現在使用中の無線リンクが前記ソフトハンドオーバー対応無線リンクである場合に、データ通信に使用する無線リンクを面記ソフトハンドオーバー対応無線リンクから前記ソフトハンドオーバー非対応無線リンクへ切替えるとともに、データ通信に使用する無線リンクを前記ソフトハンドオーバー対応無線リンクから前記ソフトハンドオーバー非対応無線リンクへ切替えるよう指示するソフトハンドオーバー非対応無線リンク切替指示を前記移動端末装置に送信し、
前記移動端末装置は、
前記基地局装置より前記ソフトハンドオーバー対応無線リンク切替指示を受信した場合に、データ通信に使用する無線リンクを前記ソフトハンドオーバー非対応無線リンクから前記ソフトハンドオーバー対応無線リンクへ切替え、
前記基地局装置より前記ソフトハンドオーバー非対応無線リンク切替指示を受信した場合に、データ通信に使用する無線リンクを前記ソフトハンドオーバー対応無線リンクから前記ソフトハンドオーバー非対応無線リンクへ切替えることを特徴とする請求項４に記載の無線通信システム。
【請求項６】
複数の無線リンクが設定され、前記複数の無線リンクのうちのいずれかを使用してデータ通信を行う基地局装置と移動端末装置とを有する無線通信システムであって、
前記基地局装置及び前記移動端末装置は
現在使用中の無線リンクの通信品質に基づき、データ通信に使用する無線リンクの切替処理を行うことを特徴とする無線通信システム。
【請求項７】
前記移動端末装置は、
現在使用中の無線リンクの通信品質を測定するとともに、測定した通信品質を示す通信品質情報を前記基地局装置に送信し、
前記基地局装置は、
前記移動端末装置より前記通信品質情報を受信し、
受信した前記通信品質情報に示された通信品質に基づき、前記移動端末装置の移動速度を推定し、
前記移動端末装置の推定移動速度に基づき、現在使用中の無線リンクから他の無線リンクへの切替えが必要か否かを判断し、
他の無線リンクへの切替えが必要な場合に、データ通信に使用する無線リンクを現在使用中の無線リンクから他の無線リンクへ切替えるとともに、データ通信に使用する無線リンクを切替えるよう指示する切替指示を前記移動端末装置に送信し、
前記移動端末装置は、
前記基地局装置より前記切替指示を受信した場合に、データ通信に使用する無線リンクを現在使用中の無線リンクから他の無線リンクへ切替えることを特徴とする請求項６に記載の無線通信システム。
【請求項８】
前記複数の無線リンクとして、ソフトハンドオーバー対応のソフトハンドオーバー対応無線リンクとソフトハンドオーバー非対応のソフトハンドオーバー非対応無線リンクとが前記基地局装置と前記移動端末との間に設定されており、
前記基地局装置は、
前記通信品質情報に示された通信品質に基づき、前記移動端末装置の移動速度を推定した場合に、
前記移動端末装置の推定移動速度が所定の閾値以上であるか否かを判断するとともに、現在使用中の無線リンクが前記ソフトハンドオーバー対応無線リンク及び前記ソフトハンドオーバー非対応無線リンクのうちのいずれであるかを判断し、
前記移動端末装置の推定移動速度が所定の閾値以上であり、現在使用中の無線リンクが前記ソフトハンドオーバー非対応無線リンクである場合に、データ通信に使用する無線リンクを前記ソフトハンドオーバー非対応無線リンクから前記ソフトハンドオーバー対応無線リンクへ切替えるとともに、データ通信に使用する無線リンクを前記ソフトハンドオーバー非対応無線リンクから前記ソフトハンドオーバー対応無線リンクへ切替えるよう指示するソフトハンドオーバー対応無線リンク切替指示を前記移動端末装置に送信し、
前記移動端末装置の推定移動速度が所定の閾値未満であり、現在使用中の無線リンクが前記ソフトハンドオーバー対応無線リンクである場合に、データ通信に使用する無線リンクを前記ソフトハンドオーバー対応無線リンクから前記ソフトハンドオーバー非対応無線リンクへ切替えるとともに、データ通信に使用する無線リンクを前記ソフトハンドオーバー対応無線リンクから前記ソフトハンドオーバー非対応無線リンクへ切替えるよう指示するソフトハンドオーバー非対応無線リンク切替指示を前記移動端末装置に送信し、
前記移動端末装置は、
前記基地局装置より前記ソフトハンドオーバー対応無線リンク切替指示を受信した場合に、データ通信に使用する無線リンクを前記ソフトハンドオーバー非対応無線リンクから前記ソフトハンドオーバー対応無線リンクへ切替え、
前記基地局装置より前記ソフトハンドオーバー非対応無線リンク切替指示を受信した場合に、データ通信に使用する無線リンクを前記ソフトハンドオーバー対応無線リンクから前記ソフトハンドオーバー非対応無線リンクへ切替えることを特徴とする請求項７に記載の無線通信システム。
【請求項９】
前記基地局装置は、
現在使用中の無線リンクの通信品質を測定し、
測定結果に基づき、前記移動端末装置の移動速度を推定し、
前記移動端末装置の推定移動速度に基づき、現在使用中の無線リンクから他の無線リンクへの切替えが必要か否かを判断し、
他の無線リンクへの切替えが必要な場合に、データ通信に使用する無線リンクを現在使用中の無線リンクから他の無線リンクへ切替えるとともに、データ通信に使用する無線リンクを切替えるよう指示する切替指示を前記移動端末装置に送信し、
前記移動端末装置は、
前記基地局装置より前記切替指示を受信した場合に、データ通信に使用する無線リンクを現在使用中の無線リンクから他の無線リンクへ切替えることを特徴とする請求項６に記載の無線通信システム。
【請求項１０】
前記複数の無線リンクとして、ソフトハンドオーバー対応のソフトハンドオーバー対応無線リンクとソフトハンドオーバー非対応のソフトハンドオーバー非対応無線リンクとが前記基地局装置と前記移動端末との間に設定されており、
前記基地局装置は、
前記移動端末装置の移動速度を推定した場合に、
前記移動端末装置の推定移動速度が所定の閾値以上であるか否かを判断するとともに、現在使用中の無線リンクが前記ソフトハンドオーバー対応無線リンク及び前記ソフトハンドオーバー非対応無線リンクのうちのいずれであるかを判断し、
前記移動端末装置の推定移動速度が所定の閾値以上であり、現在使用中の無線リンクが前記ソフトハンドオーバー非対応無線リンクである場合に、データ通信に使用する無線リンクを前記ソフトハンドオーバー非対応無線リンクから前記ソフトハンドオーバー対応無線リンクへ切替えるとともに、データ通信に使用する無線リンクを前記ソフトハンドオーバー非対応無線リンクから前記ソフトハンドオーバー対応無線リンクへ切替えるよう指示するソフトハンドオーバー対応無線リンク切替指示を前記移動端末装置に送信し、
前記移動端末装置の推定移動速度が所定の閾値未満であり、現在使用中の無線リンクが前記ソフトハンドオーバー対応無線リンクである場合に、データ通信に使用する無線リンクを前記ソフトハンドオーバー対応無線リンクから前記ソフトハンドオーバー非対応無線リンクへ切替えるとともに、データ通信に使用する無線リンクを前記ソフトハンドオーバー対応無線リンクから前記ソフトハンドオーバー非対応無線リンクへ切替えるよう指示するソフトハンドオーバー非対応無線リンク切替指示を前記移動端末装置に送信し、
前記移動端末装置は、
前記基地局装置より前記ソフトハンドオーバー対応無線リンク切替指示を受信した場合に、データ通信に使用する無線リンクを前記ソフトハンドオーバー非対応無線リンクから前記ソフトハンドオーバー対応無線リンクへ切替え、
前記基地局装置より前記ソフトハンドオーバー非対応無線リンク切替指示を受信した場合に、データ通信に使用する無線リンクを前記ソフトハンドオーバー対応無線リンクから前記ソフトハンドオーバー非対応無線リンクへ切替えることを特徴とする請求項９に記載の無線通信システム。
【請求項１１】
移動端末装置との間に複数の無線リンクが設定され、前記複数の無線リンクのうちのいずれかを使用して前記移動端末装置とデータ通信を行う基地局装置であって、
前記移動端末装置の移動速度に基づき、前記移動端末装置とのデータ通信に使用する無線リンクの切替処理を行うことを特徴とする基地局装置。
【請求項１２】
前記移動端末装置は、
自装置の移動速度を検出するとともに、検出した自装置の移動速度に基づき、現在使用中の無線リンクから他の無線リンクへの切替えが必要であるか否かを判断し、他の無線リンクへの切替えが必要な場合に、現在使用中の無線リンクから他の無線リンクへの切替えを要求する切替要求を前記基地局装置に送信可能であり、
前記基地局装置は、
前記移動端末装置より前記切替要求を受信する通信部と、
前記通信部により受信された前記切替要求に基づき、前記移動端末装置とのデータ通信に使用する無線リンクを現在使用中の無線リンクから他の無線リンクへ切替える無線リンク切替部と、
前記無線リンク切替部により無線リンクの切替えが行われた場合に、前記移動端末装置に対してデータ通信に使用する無線リンクを切替えるよう指示する切替指示を生成するとともに、生成した前記切替指示を前記通信部を通じて前記移動端末装置に送信する切替指示生成部とを有することを特徴とする請求項１１に記載の基地局装置。
【請求項１３】
前記移動端末装置は、
自装置の移動速度を検出するとともに、検出した自装置の移動速度を示す移動速度情報を前記基地局装置に送信可能であり、
前記基地局装置は、
前記移動端末装置より前記移動速度情報を受信する通信部と、
前記移動速度情報に示された前記移動端末装置の移動速度に基づき、現在使用中の無線リンクから他の無線リンクへの切替えが必要か否かを判断する切替判定部と、
前記切替判定部により現在使用中の無線リンクから他の無線リンクへの切替えが必要であると判断された場合に、データ通信に使用する無線リンクを現在使用中の無線リンクから他の無線リンクへ切替える無線リンク切替部と、
前記無線リンク切替部により無線リンクの切替えが行われた場合に、前記移動端末装置に対してデータ通信に使用する無線リンクを切替えるよう指示する切替指示を生成するとともに、生成した前記切替指示を前記通信部を通じて前記移動端末装置に送信する切替指示生成部とを有することを特徴とする請求項１１に記載の基地局装置。
【請求項１４】
移動端末装置との間に複数の無線リンクが設定され、前記複数の無線リンクのうちのいずれかを使用して前記移動端末装置とデータ通信を行う基地局装置であって、
現在使用中の無線リンクの通信品質に基づき、前記移動端末装置とのデータ通信に使用する無線リンクの切替処理を行うことを特徴とする基地局装置。
【請求項１５】
前記移動端末装置は、
現在使用中の無線リンクの通信品質を測定するとともに、測定した通信品質を示す通信品質情報を前記基地局装置に送信可能であり、
前記基地局装置は、
前記移動端末装置より前記通信品質情報を受信する通信部と、
前記通信品質情報に示された通信品質に基づき、前記移動端末装置の移動速度を推定する移動速度推定部と、
前記移動速度推定部により推定された前記移動端末装置の推定移動速度に基づき、現在使用中の無線リンクから他の無線リンクへの切替えが必要か否かを判断する切替判定部と、
前記切替判定部により現在使用中の無線リンクから他の無線リンクへの切替えが必要であると判断された場合に、データ通信に使用する無線リンクを現在使用中の無線リンクから他の無線リンクへ切替える無線リンク切替部と、
前記無線リンク切替部により無線リンクの切替えが行われた場合に、前記移動端末装置に対してデータ通信に使用する無線リンクを切替えるよう指示する切替指示を生成し、生成した前記切替指示を前記通信部を通じて前記移動端末装置に送信する切替指示生成部とを有することを特徴とする請求項１４に記載の基地局装置。
【請求項１６】
前記基地局装置は、
現在使用中の無線リンクの通信品質を測定する通信品質測定部と、
前記通信品質測定部による測定結果に基づき、前記移動端末装置の移動速度を推定する移動速度推定部と、
前記移動速度推定部により推定された前記移動端末装置の推定移動速度に基づき、現在使用中の無線リンクから他の無線リンクへの切替えが必要か否かを判断する切替判定部と、
前記切替判定部により現在使用中の無線リンクから他の無線リンクへの切替えが必要であると判断された場合に、データ通信に使用する無線リンクを現在使用中の無線リンクから他の無線リンクへ切替える無線リンク切替部と、
前記無線リンク切替部により無線リンクの切替えが行われた場合に、前記移動端末装置に対してデータ通信に使用する無線リンクを切替えるよう指示する切替指示を生成し、生成した前記切替指示を前記通信部を通じて前記移動端末装置に送信する切替指示生成部とを有することを特徴とする請求項１４に記載の基地局装置。
【請求項１７】
基地局装置との間に複数の無線リンクが設定され、前記複数の無線リンクのうちのいずれかを使用して前記基地局装置とデータ通信を行う移動端末装置であって、
自装置の移動速度に基づき、前記基地局装置とのデータ通信に使用する無線リンクの切替処理を行うことを特徴とする移動端末装置。
【請求項１８】
前記移動端末装置は、
自装置の移動速度を検出する移動速度検出部と、
前記移動速度検出部により検出された自装置の移動速度に基づき、現在使用中の無線リンクから他の無線リンクへの切替えが必要であるか否かを判断し、他の無線リンクへの切替えが必要な場合に、現在使用中の無線リンクから他の無線リンクへの切替えを要求する切替要求を生成する切替要求判定部と、
前記切替要求判定部により生成された前記切替要求を前記基地局装置に送信するとともに、データ通信に使用する無線リンクを切替えるよう指示する切替指示を前記基地局装置より受信する通信部と、
前記通信部により受信された前記切替指示に基づき、データ通信に使用する無線リンクを現在使用中の無線リンクから他の無線リンクへ切替える無線リンク切替部とを有することを特徴とする請求項１７に記載の移動端末装置。
【請求項１９】
前記移動端末装置は、
自装置の移動速度を検出する移動速度検出部と、
前記移動速度検出部により検出された自装置の移動速度を示す移動速度情報を前記基地局装置に送信するとともに、所定の場合に、データ通信に使用する無線リンクを切替えるよう指示する切替指示を前記基地局装置より受信する通信部と、
前記通信部により受信された前記切替指示に基づき、データ通信に使用する無線リンクを現在使用中の無線リンクから他の無線リンクへ切替える無線リンク切替部とを有することを特徴とする請求項１７に記載の移動端末装置。
【請求項２０】
基地局装置との間に複数の無線リンクが設定され、前記複数の無線リンクのうちのいずれかを使用して前記基地局装置とデータ通信を行う移動端末装置であって、
現在使用中の無線リンクの通信品質に基づき、前記基地局装置とのデータ通信に使用する無線リンクの切替処理を行うことを特徴とする移動端末装置。
【請求項２１】
前記移動端末装置は、
現在使用中の無線リンクの通信品質を測定する通信品質測定部と、
前記通信品質測定部により測定された通信品質を示す通信品質情報を前記基地局装置に送信するとともに、所定の場合に、データ通信に使用する無線リンクを切替えるよう指示する切替指示を前記基地局装置より受信する通信部と、
前記通信部により受信された前記切替指示に基づき、データ通信に使用する無線リンクを現在使用中の無線リンクから他の無線リンクへ切替える無線リンク切替部とを有することを特徴とする請求項２０に記載の移動端末装置。
【請求項２２】
基地局装置と移動端末装置との間のデータ通信に使用する無線リンクの切替処理を行う無線リンク切替方法であって、
前記移動端末装置の移動速度に基づき、前記基地局装置と前記移動端末装置との間のデータ通信に使用する無線リンクの切替処理を行うことを特徴とする無線リンク切替方法。
【請求項２３】
基地局装置と移動端末装置との間のデータ通信に使用する無線リンクの切替処理を行う無線リンク切替方法であって、
前記基地局装置と前記移動端末装置との間で現在使用中の無線リンクの通信品質に基づき、前記基地局装置と前記移動端末装置との間のデータ通信に使用する無線リンクの切替処理を行うことを特徴とする無線リンク切替方法。
【発明の詳細な説明】
技術分野
この発明は、移動体通信においてソフトハンドオーバー使用／未使用を切替える技術に関するものである。
背景技術
従来の移動体通信システムでパケット通信を行う例として、例えば特開２００１−６０９３２「非同期移動通信システムにおける動的チャンネルの割当方法及び装置」で示されたものがある。
この従来の移動体通信システムのパケット通信では、送信するデータ量に応じて低トラヒックに適した共通チャネルパケット通信、高トラヒックに適した個別チャネルパケット通信の選択を行っている。
従来の移動体通信システムのパケット通信では送信するデータ量によって共通チャネルパケット通信あるいは個別チャネルパケット通信の選択を行うものである。
しかしながら、従来の移動体通信システムのパケット通信では、端末の移動速度や伝播環境の変化を考慮してソフトハンドオーバーの使用／未使用の切替えをおこなうことはしておらず、品質が下がっている状態でもしばらく通信を試みるため不要な干渉を引き起こすことになる。
ＣＤＭＡシステム等においての個別チャネルでは複数の基地局の信号を合成するソフトハンドオーバーの機能を有し、ビルの陰に入るなどシャドイング等により伝送路がさえぎられた場合にソフトハンドオーバーによる品質の向上が期待できる。そのため高速の移動に適している。
高速での移動がなく特定の基地局近辺に存在し確実に通信できる場合はソフトハンドオーバーを未使用にしたほうが干渉量を減らすことができ、無線資源をより効率的に利用できる。
一般に共通チャネルではソフトハンドオーバー機能を持たせないことが多いが、個別チャネルにおいてもすでに十分な品質がある場合はソフトハンドオーバーを未使用にすることも可能である。
一方、高速移動など伝播環境が激しい変化をする場合には、品質の確保のためにソフトハンドオーバー使用に切替えを行うこと望ましい。
しかし、ソフトハンドオーバー使用時においてはソフトハンドオーバー未使用時と比較して無線資源を占有する割合が高く、ソフトハンドオーバー未使用で十分な品質が確保される場合はソフトハンドオーバー未使用への切替えを行うことが望ましい。
本発明は、移動速度や伝播環境の変化を考慮してソフトハンドオーバーの使用／未使用の判定を行うことにより無線資源を効率的に使用できる無線通信システム等を提供することを目的の一つとする。
発明の開示
本発明に係る無線通信システムは、
複数の無線リンクが設定され、前記複数の無線リンクのうちのいずれかを使用してデータ通信を行う基地局装置と移動端末装置とを有する無線通信システムであって、
前記基地局装置及び前記移動端末装置は、
前記移動端末装置の移動速度に基づき、データ通信に使用する無線リンクの切替処理を行うことを特徴とする。
前記移動端末装置は、
自装置の移動速度を検出し、
検出した自装置の移動速度に基づき、現在使用中の無線リンクから他の無線リンクへの切替えが必要か否かを判断し、
他の無線リンクへの切替えが必要な場合に、現在使用中の無線リンクから他の無線リンクへの切替えを要求する切替要求を前記基地局装置に送信し、
前記基地局装置は、
前記移動端末装置より前記切替要求を受信した場合に、データ通信に使用する無線リンクを現在使用中の無線リンクから他の無線リンクへ切替えるとともに、データ通信に使用する無線リンクを切替えるよう指示する切替指示を前記移動端末装置に送信し、
前記移動端末装置は、
前記基地局装置より前記切替指示を受信した場合に、データ通信に使用する無線リンクを現在使用中の無線リンクから他の無線リンクへ切替えることを特徴とする。
前記複数の無線リンクとして、ソフトハンドオーバー対応のソフトハンドオーバー対応無線リンクとソフトハンドオーバー非対応のソフトハンドオーバー非対応無線リンクとが前記基地局装置と前記移動端末との間に設定されており、
前記移動端末装置は、
検出した自装置の移動速度が所定の閾値以上であるか否かを判断するとともに、現在使用中の無線リンクが前記ソフトハンドオーバー対応無線リンク及び前記ソフトハンドオーバー非対応無線リンクのうちのいずれであるかを判断し、
検出した自装置の移動速度が所定の閾値以上であり、現在使用中の無線リンクが前記ソフトハンドオーバー非対応無線リンクである場合に、前記ソフトハンドオーバー非対応無線リンクから前記ソフトハンドオーバー対応無線リンクへの切替えを要求するソフトハンドオーバー対応無線リンク切替要求を前記基地局装置に送信し、
検出した自装置の移動速度が所定の閾値未満であり、現在使用中の無線リンクが前記ソフトハンドオーバー対応無線リンクである場合に、前記ソフトハンドオーバー対応無線リンクから前記ソフトハンドオーバー非対応無線リンクへの切替えを要求するソフトハンドオーバー非対応無線リンク切替要求を前記基地局装置に送信し、
前記基地局装置は、
前記移動端末装置より前記ソフトハンドオーバー対応無線リンク切替要求を受信した場合に、データ通信に使用する無線リンクを前記ソフトハンドオーバー非対応無線リンクから前記ソフトハンドオーバー対応無線リンクへ切替えるとともに、データ通信に使用する無線リンクを前記ソフトハンドオーバー非対応無線リンクから前記ソフトハンドオーバー対応無線リンクへ切替えるよう指示するソフトハンドオーバー対応無線リンク切替指示を前記移動端末装置に送信し、
前記移動端末装置よりソフトハンドオーバー非対応無線リンク切替要求を受信した場合に、データ通信に使用する無線リンクを前記ソフトハンドオーバー対応無線リンクから前記ソフトハンドオーバー非対応無線リンクへ切替えるとともに、データ通信に使用する無線リンクを前記ソフトハンドオーバー対応無線リンクから前記ソフトハンドオーバー非対応無線リンクへ切替えるよう指示するソフトハンドオーバー非対応無線リンク切替指示を前記移動端末装置に送信し、
前記移動端末装置は、
前記基地局装置より前記ソフトハンドオーバー対応無線リンク切替指示を受信した場合に、データ通信に使用する無線リンクを前記ソフトハンドオーバー非対応無線リンクから前記ソフトハンドオーバー対応無線リンクへ切替え、
前記基地局装置より前記ソフトハンドオーバー非対応無線リンク切替指示を受信した場合に、データ通信に使用する無線リンクを前記ソフトハンドオーバー対応無線リンクから前記ソフトハンドオーバー非対応無線リンクへ切替えることを特徴とする。
前記移動端末装置は、
自装置の移動速度を検出するとともに、検出した自装置の移動速度を示す移動速度情報を前記基地局装置に送信し、
前記基地局装置は、
前記移動端末装置より前記移動速度情報を受信し、
受信した前記移動速度情報に示された前記移動端末装置の移動速度に基づき、現在使用中の無線リンクから他の無線リンクへの切替えが必要か否かを判断し、
他の無線リンクへの切替えが必要な場合に、データ通信に使用する無線リンクを現在使用中の無線リンクから他の無線リンクへ切替えるとともに、データ通信に使用する無線リンクを切替えるよう指示する切替指示を前記移動端末装置に送信し、
前記移動端末装置は、
前記基地局装置より前記切替指示を受信した場合に、データ通信に使用する無線リンクを現在使用中の無線リンクから他の無線リンクへ切替えることを特徴とする。
前記複数の無線リンクとして、ソフトハンドオーバー対応のソフトハンドオーバー対応無線リンクとソフトハンドオーバー非対応のソフトハンドオーバー非対応無線リンクとが前記基地局装置と前記移動端末との間に設定されており、
前記基地局装置は、
前記移動端末装置より前記移動速度情報を受信した場合に、前記移動速度情報に示された前記移動端末装置の移動速度が所定の閾値以上であるか否かを判断するとともに、現在使用中の無線リンクが前記ソフトハンドオーバー対応無線リンク及び前記ソフトハンドオーバー非対応無線リンクのうちのいずれであるかを判断し、
前記移動端末装置の移動速度が所定の閾値以上であり、現在使用中の無線リンクが前記ソフトハンドオーバー非対応無線リンクである場合に、データ通信に使用する無線リンクを前記ソフトハンドオーバー非対応無線リンクから前記ソフトハンドオーバー対応無線リンクへ切替えるとともに、データ通信に使用する無線リンクを前記ソフトハンドオーバー非対応無線リンクから前記ソフトハンドオーバー対応無線リンクへ切替えるよう指示するソフトハンドオーバー対応無線リンク切替指示を前記移動端末装置に送信し、
前記移動端末装置の移動速度が所定の閾値未満であり、現在使用中の無線リンクが前記ソフトハンドオーバー対応無線リンクである場合に、データ通信に使用する無線リンクを前記ソフトハンドオーバー対応無線リンクから前記ソフトハンドオーバー非対応無線リンクへ切替えるとともに、データ通信に使用する無線リンクを前記ソフトハンドオーバー対応無線リンクから前記ソフトハンドオーバー非対応無線リンクへ切替えるよう指示するソフトハンドオーバー非対応無線リンク切替指示を前記移動端末装置に送信し、
前記移動端末装置は、
前記基地局装置より前記ソフトハンドオーバー対応無線リンク切替指示を受信した場合に、データ通信に使用する無線リンクを前記ソフトハンドオーバー非対応無線リンクから前記ソフトハンドオーバー対応無線リンクへ切替え、
前記基地局装置より前記ソフトハンドオーバー非対応無線リンク切替指示を受信した場合に、データ通信に使用する無線リンクを前記ソフトハンドオーバー対応無線リンクから前記ソフトハンドオーバー非対応無線リンクへ切替えることを特徴とする。
本発明に係る無線通信システムは、
複数の無線リンクが設定され、前記複数の無線リンクのうちのいずれかを使用してデータ通信を行う基地局装置と移動端末装置とを有する無線通信システムであって、
前記基地局装置及び前記移動端末装置は
現在使用中の無線リンクの通信品質に基づき、データ通信に使用する無線リンクの切替処理を行うことを特徴とする。
前記移動端末装置は、
現在使用中の無線リンクの通信品質を測定するとともに、測定した通信品質を示す通信品質情報を前記基地局装置に送信し、
前記基地局装置は、
前記移動端末装置より前記通信品質情報を受信し、
受信した前記通信品質情報に示された通信品質に基づき、前記移動端末装置の移動速度を推定し、
前記移動端末装置の推定移動速度に基づき、現在使用中の無線リンクから他の無線リンクへの切替えが必要か否かを判断し、
他の無線リンクへの切替えが必要な場合に、データ通信に使用する無線リンクを現在使用中の無線リンクから他の無線リンクへ切替えるとともに、データ通信に使用する無線リンクを切替えるよう指示する切替指示を前記移動端末装置に送信し、
前記移動端末装置は、
前記基地局装置より前記切替指示を受信した場合に、データ通信に使用する無線リンクを現在使用中の無線リンクから他の無線リンクへ切替えることを特徴とする。
前記複数の無線リンクとして、ソフトハンドオーバー対応のソフトハンドオーバー対応無線リンクとソフトハンドオーバー非対応のソフトハンドオーバー非対応無線リンクとが前記基地局装置と前記移動端末との間に設定されており、
前記基地局装置は、
前記通信品質情報に示された通信品質に基づき、前記移動端末装置の移動速度を推定した場合に、
前記移動端末装置の推定移動速度が所定の閾値以上であるか否かを判断するとともに、現在使用中の無線リンクが前記ソフトハンドオーバー対応無線リンク及び前記ソフトハンドオーバー非対応無線リンクのうちのいずれであるかを判断し、
前記移動端末装置の推定移動速度が所定の閾値以上であり、現在使用中の無線リンクが前記ソフトハンドオーバー非対応無線リンクである場合に、データ通信に使用する無線リンクを前記ソフトハンドオーバー非対応無線リンクから前記ソフトハンドオーバー対応無線リンクへ切替えるとともに、データ通信に使用する無線リンクを前記ソフトハンドオーバー非対応無線リンクから前記ソフトハンドオーバー対応無線リンクへ切替えるよう指示するソフトハンドオーバー対応無線リンク切替指示を前記移動端末装置に送信し、
前記移動端末装置の推定移動速度が所定の閾値未満であり、現在使用中の無線リンクが前記ソフトハンドオーバー対応無線リンクである場合に、データ通信に使用する無線リンクを前記ソフトハンドオーバー対応無線リンクから前記ソフトハンドオーバー非対応無線リンクへ切替えるとともに、データ通信に使用する無線リンクを前記ソフトハンドオーバー対応無線リンクから前記ソフトハンドオーバー非対応無線リンクへ切替えるよう指示するソフトハンドオーバー非対応無線リンク切替指示を前記移動端末装置に送信し、
前記移動端末装置は、
前記基地局装置より前記ソフトハンドオーバー対応無線リンク切替指示を受信した場合に、データ通信に使用する無線リンクを前記ソフトハンドオーバー非対応無線リンクから前記ソフトハンドオーバー対応無線リンクへ切替え、
前記基地局装置より前記ソフトハンドオーバー非対応無線リンク切替指示を受信した場合に、データ通信に使用する無線リンクを前記ソフトハンドオーバー対応無線リンクから前記ソフトハンドオーバー非対応無線リンクへ切替えることを特徴とする。
前記基地局装置は、
現在使用中の無線リンクの通信品質を測定し、
測定結果に基づき、前記移動端末装置の移動速度を推定し、
前記移動端末装置の推定移動速度に基づき、現在使用中の無線リンクから他の無線リンクへの切替えが必要か否かを判断し、
他の無線リンクへの切替えが必要な場合に、データ通信に使用する無線リンクを現在使用中の無線リンクから他の無線リンクへ切替えるとともに、データ通信に使用する無線リンクを切替えるよう指示する切替指示を前記移動端末装置に送信し、
前記移動端末装置は、
前記基地局装置より前記切替指示を受信した場合に、データ通信に使用する無線リンクを現在使用中の無線リンクから他の無線リンクへ切替えることを特徴とする。
前記複数の無線リンクとして、ソフトハンドオーバー対応のソフトハンドオーバー対応無線リンクとソフトハンドオーバー非対応のソフトハンドオーバー非対応無線リンクとが前記基地局装置と前記移動端末との間に設定されており、
前記基地局装置は、
前記移動端末装置の移動速度を推定した場合に、
前記移動端末装置の推定移動速度が所定の閾値以上であるか否かを判断するとともに、現在使用中の無線リンクが前記ソフトハンドオーバー対応無線リンク及び前記ソフトハンドオーバー非対応無線リンクのうちのいずれであるかを判断し、
前記移動端末装置の推定移動速度が所定の閾値以上であり、現在使用中の無線リンクが前記ソフトハンドオーバー非対応無線リンクである場合に、データ通信に使用する無線リンクを前記ソフトハンドオーバー非対応無線リンクから前記ソフトハンドオーバー対応無線リンクへ切替えるとともに、データ通信に使用する無線リンクを前記ソフトハンドオーバー非対応無線リンクから前記ソフトハンドオーバー対応無線リンクへ切替えるよう指示するソフトハンドオーバー対応無線リンク切替指示を前記移動端末装置に送信し、
前記移動端末装置の推定移動速度が所定の閾値未満であり、現在使用中の無線リンクが前記ソフトハンドオーバー対応無線リンクである場合に、データ通信に使用する無線リンクを前記ソフトハンドオーバー対応無線リンクから前記ソフトハンドオーバー非対応無線リンクへ切替えるとともに、データ通信に使用する無線リンクを前記ソフトハンドオーバー対応無線リンクから前記ソフトハンドオーバー非対応無線リンクへ切替えるよう指示するソフトハンドオーバー非対応無線リンク切替指示を前記移動端末装置に送信し、
前記移動端末装置は、
前記基地局装置より前記ソフトハンドオーバー対応無線リンク切替指示を受信した場合に、データ通信に使用する無線リンクを前記ソフトハンドオーバー非対応無線リンクから前記ソフトハンドオーバー対応無線リンクへ切替え、
前記基地局装置より前記ソフトハンドオーバー非対応無線リンク切替指示を受信した場合に、データ通信に使用する無線リンクを前記ソフトハンドオーバー対応無線リンクから前記ソフトハンドオーバー非対応無線リンクへ切替えることを特徴とする。
本発明に係る基地局装置は、
移動端末装置との間に複数の無線リンクが設定され、前記複数の無線リンクのうちのいずれかを使用して前記移動端末装置とデータ通信を行う基地局装置であって、
前記移動端末装置の移動速度に基づき、前記移動端末装置とのデータ通信に使用する無線リンクの切替処理を行うことを特徴とする。
前記移動端末装置は、
自装置の移動速度を検出するとともに、検出した自装置の移動速度に基づき、現在使用中の無線リンクから他の無線リンクへの切替えが必要であるか否かを判断し、他の無線リンクへの切替えが必要な場合に、現在使用中の無線リンクから他の無線リンクへの切替えを要求する切替要求を前記基地局装置に送信可能であり、
前記基地局装置は、
前記移動端末装置より前記切替要求を受信する通信部と、
前記通信部により受信された前記切替要求に基づき、前記移動端末装置とのデータ通信に使用する無線リンクを現在使用中の無線リンクから他の無線リンクへ切替える無線リンク切替部と、
前記無線リンク切替部により無線リンクの切替えが行われた場合に、前記移動端末装置に対してデータ通信に使用する無線リンクを切替えるよう指示する切替指示を生成するとともに、生成した前記切替指示を前記通信部を通じて前記移動端末装置に送信する切替指示生成部とを有することを特徴とする。
前記移動端末装置は、
自装置の移動速度を検出するとともに、検出した自装置の移動速度を示す移動速度情報を前記基地局装置に送信可能であり、
前記基地局装置は、
前記移動端末装置より前記移動速度情報を受信する通信部と、
前記移動速度情報に示された前記移動端末装置の移動速度に基づき、現在使用中の無線リンクから他の無線リンクへの切替えが必要か否かを判断する切替判定部と、
前記切替判定部により現在使用中の無線リンクから他の無線リンクへの切替えが必要であると判断された場合に、データ通信に使用する無線リンクを現在使用中の無線リンクから他の無線リンクへ切替える無線リンク切替部と、
前記無線リンク切替部により無線リンクの切替えが行われた場合に、前記移動端末装置に対してデータ通信に使用する無線リンクを切替えるよう指示する切替指示を生成するとともに、生成した前記切替指示を前記通信部を通じて前記移動端末装置に送信する切替指示生成部とを有することを特徴とする。
本発明に係る基地局装置は、
移動端末装置との間に複数の無線リンクが設定され、前記複数の無線リンクのうちのいずれかを使用して前記移動端末装置とデータ通信を行う基地局装置であって、
現在使用中の無線リンクの通信品質に基づき、前記移動端末装置とのデータ通信に使用する無線リンクの切替処理を行うことを特徴とする。
前記移動端末装置は、
現在使用中の無線リンクの通信品質を測定するとともに、測定した通信品質を示す通信品質情報を前記基地局装置に送信可能であり、
前記基地局装置は、
前記移動端末装置より前記通信品質情報を受信する通信部と、
前記通信品質情報に示された通信品質に基づき、前記移動端末装置の移動速度を推定する移動速度推定部と、
前記移動速度推定部により推定された前記移動端末装置の推定移動速度に基づき、現在使用中の無線リンクから他の無線リンクへの切替えが必要か否かを判断する切替判定部と、
前記切替判定部により現在使用中の無線リンクから他の無線リンクへの切替えが必要であると判断された場合に、データ通信に使用する無線リンクを現在使用中の無線リンクから他の無線リンクへ切替える無線リンク切替部と、
前記無線リンク切替部により無線リンクの切替えが行われた場合に、前記移動端末装置に対してデータ通信に使用する無線リンクを切替えるよう指示する切替指示を生成し、生成した前記切替指示を前記通信部を通じて前記移動端末装置に送信する切替指示生成部とを有することを特徴とする。
前記基地局装置は、
現在使用中の無線リンクの通信品質を測定する通信品質測定部と、
前記通信品質測定部による測定結果に基づき、前記移動端末装置の移動速度を推定する移動速度推定部と、
前記移動速度推定部により推定された前記移動端末装置の推定移動速度に基づき、現在使用中の無線リンクから他の無線リンクへの切替えが必要か否かを判断する切替判定部と、
前記切替判定部により現在使用中の無線リンクから他の無線リンクへの切替えが必要であると判断された場合に、データ通信に使用する無線リンクを現在使用中の無線リンクから他の無線リンクへ切替える無線リンク切替部と、
前記無線リンク切替部により無線リンクの切替えが行われた場合に、前記移動端末装置に対してデータ通信に使用する無線リンクを切替えるよう指示する切替指示を生成し、生成した前記切替指示を前記通信部を通じて前記移動端末装置に送信する切替指示生成部とを有することを特徴とする。
本発明に係る移動端末装置は、
基地局装置との間に複数の無線リンクが設定され、前記複数の無線リンクのうちのいずれかを使用して前記基地局装置とデータ通信を行う移動端末装置であって、
自装置の移動速度に基づき、前記基地局装置とのデータ通信に使用する無線リンクの切替処理を行うことを特徴とする。
前記移動端末装置は、
自装置の移動速度を検出する移動速度検出部と、
前記移動速度検出部により検出された自装置の移動速度に基づき、現在使用中の無線リンクから他の無線リンクへの切替えが必要であるか否かを判断し、他の無線リンクへの切替えが必要な場合に、現在使用中の無線リンクから他の無線リンクへの切替えを要求する切替要求を生成する切替要求判定部と、
前記切替要求判定部により生成された前記切替要求を前記基地局装置に送信するとともに、データ通信に使用する無線リンクを切替えるよう指示する切替指示を前記基地局装置より受信する通信部と、
前記通信部により受信された前記切替指示に基づき、データ通信に使用する無線リンクを現在使用中の無線リンクから他の無線リンクへ切替える無線リンク切替部とを有することを特徴とする。
前記移動端末装置は、
自装置の移動速度を検出する移動速度検出部と、
前記移動速度検出部により検出された自装置の移動速度を示す移動速度情報を前記基地局装置に送信するとともに、所定の場合に、データ通信に使用する無線リンクを切替えるよう指示する切替指示を前記基地局装置より受信する通信部と、
前記通信部により受信された前記切替指示に基づき、データ通信に使用する無線リンクを現在使用中の無線リンクから他の無線リンクへ切替える無線リンク切替部とを有することを特徴とする。
本発明に係る移動端末装置は、
基地局装置との間に複数の無線リンクが設定され、前記複数の無線リンクのうちのいずれかを使用して前記基地局装置とデータ通信を行う移動端末装置であって、
現在使用中の無線リンクの通信品質に基づき、前記基地局装置とのデータ通信に使用する無線リンクの切替処理を行うことを特徴とする。
前記移動端末装置は、
現在使用中の無線リンクの通信品質を測定する通信品質測定部と、
前記通信品質測定部により測定された通信品質を示す通信品質情報を前記基地局装置に送信するとともに、所定の場合に、データ通信に使用する無線リンクを切替えるよう指示する切替指示を前記基地局装置より受信する通信部と、
前記通信部により受信された前記切替指示に基づき、データ通信に使用する無線リンクを現在使用中の無線リンクから他の無線リンクへ切替える無線リンク切替部とを有することを特徴とする。
本発明に係る無線リンク切替方法は、
基地局装置と移動端末装置との間のデータ通信に使用する無線リンクの切替処理を行う無線リンク切替方法であって、
前記移動端末装置の移動速度に基づき、前記基地局装置と前記移動端末装置との間のデータ通信に使用する無線リンクの切替処理を行うことを特徴とする。
本発明に係る無線リンク切替方法は、
基地局装置と移動端末装置との間のデータ通信に使用する無線リンクの切替処理を行う無線リンク切替方法であって、
前記基地局装置と前記移動端末装置との間で現在使用中の無線リンクの通信品質に基づき、前記基地局装置と前記移動端末装置との間のデータ通信に使用する無線リンクの切替処理を行うことを特徴とする。
発明を実施するための最良の形態
実施の形態１．
以下、発明の実施の形態について図面を参照して説明を行う。
図１は本実施の形態に係る移動体通信システム（無線通信システム）の全体構成図である。
端末１００と基地局１０１との間にはソフトハンドオーバー未使用状態の無線リンク１０２とソフトハンドオーバー使用状態の無線リンク１０３の２つの状態が存在し、切替えることが可能となっている。
基地局には例えばＷ−ＣＤＭＡシステムのように基地局システムの末端に設置されるＮｏｄｅ−Ｂと制御装置であるＲＮＣ（Ｒａｄｉｏ  Ｎｅｔｗｏｒｋ  Ｃｏｎｔｒｏｌｌｅｒ）という複数の装置構成を持つ場合があるが、これらの基地局を実現するために必要な構成全体を指すことにする。
端末１００は、移動端末装置の例であり、基地局１０１は基地局装置の例である。また、ソフトハンドオーバー未使用状態の無線リンク１０２はソフトハンドオーバー非対応無線リンクに相当し、ソフトハンドオーバー使用状態の無線リンク１０３はソフトハンドオーバー対応無線リンクに相当する。
端末１００から基地局１０１へ送信される信号として、ソフトハンドオーバー使用／未使用切替要求１０６がある。また基地局１０１から端末１００へ送信される信号としてソフトハンドオーバー使用／未使用切替指示１０７がある。以下では、ソフトハンドオーバー使用／未使用切替要求１０６は、単に切替要求ともいい、また、ソフトハンドオーバー使用／未使用切替指示１０７は、単に切替指示ともいう。
実際の通信システムにおいてソフトハンドオーバー使用／未使用の切替え方法はそのシステム固有に持つソフトハンドオーバー使用／未使用の切替え機能に依存し、具体的には同一チャネルにおいて（例えば個別チャネルのまま）ソフトハンドオーバー使用／未使用を切替える場合、または異なる種類のチャネル（例えば個別チャネルと共通チャネル）に切替えることによりソフトハンドオーバー使用／未使用を切替える場合が考えられるが、ここでは両方の手法を含んだ説明とする。
図２は本実施の形態に係る端末１００の内部原理図である。
端末１００は、端末送信部２００および端末受信部２０１を備える。
ソフトハンドオーバー使用／未使用切替部２０２は端末受信部２０１より受けたソフトハンドオーバー使用／未使用切替指示をもとに端末のソフトハンドオーバー使用／未使用の切替処理を実行する。
ソフトハンドオーバー使用／未使用切替要求判定部２０３は、端末の移動速度に基づいてソフトハンドオーバー使用／未使用切替えの要否判定を行うとともに、切替えが必要な場合に、ソフトハンドオーバー使用／未使用切替要求１０６を生成する。ソフトハンドオーバー使用／未使用切替要求は端末送信部２００より送信される。
速度検出部２０５は端末の移動速度を検出する。
本実施の形態では、端末送信部２００及び端末受信部２０１が通信部に相当し、ソフトハンドオーバー使用／未使用切替部２０２が無線リンク切替部に相当し、ソフトハンドオーバー使用／未使用切替要求判定部２０３が切替判定部に相当し、速度検出部が移動速度検出部に相当する。
図３は本実施の形態に係る基地局１０１の内部原理図である。
基地局１０１は、基地局送信部３００および基地局受信部３０１を備える。
ソフトハンドオーバー使用／未使用切替指示送信部３０２は端末に対してソフトハンドオーバー使用／未使用切替指示を生成し基地局送信部３００より送信するものである。
ソフトハンドオーバー使用／未使用切替要求受信部３０８は端末より送出された切替要求を受信するものである。
ソフトハンドオーバー使用／未使用切替判定部３０９は、切替要求に基づき、ソフトハンドオーバー使用／未使用の切替処理を実行する。
なお、本実施の形態においては、基地局送信部３００及び基地局受信部３０１は通信部に相当し、ソフトハンドオーバー使用／未使用切替指示送信部３０２は、切替指示生成部に相当し、ソフトハンドオーバー使用／未使用切替判定部３０９は、無線リンク切替部に相当する。
次に、この実施の形態におけるソフトハンドオーバー使用／未使用の切替えの判定方法およびその手順を説明する。
本実施の形態においては、端末は自身の移動速度を検出し、それを用いて切替えの必要性を判定し、切替えが必要な場合に切替要求を基地局へ送信し、基地局はそれを受信してソフトハンドオーバー使用／未使用状態の切替えを行う（ソフトハンドオーバー未使用状態の無線リンク１０２及びソフトハンドオーバー使用状態の無線リンク１０３の切替えを行う）。
図４はこの実施の形態における端末の処理の手順を示すフローチャートである。
端末内において、ステップＳ４０１で速度検出部２０５により端末の移動速度を検出する。速度検出方法としてはドップラーシフト量Δｆを利用する方法、ＧＰＳ等の位置情報の差分から得る方法など考えられ、ここではその方式は問わず端末の機能に備わっているものを利用するとする。
ステップＳ４０２でソフトハンドオーバー使用／未使用切替要求判定部２０３においてあらかじめ指定された閾値より端末の移動速度が速いかどうかを判定する。なおこの閾値には境界付近における判定のバタツキ防止のためヒステリシスを持たすこともできる。
閾値より端末の移動速度が遅い場合（閾値未満の場合）、ステップＳ４０３に進み現在の無線リンクがソフトハンドオーバー使用状態であるかを判定する。もしソフトハンドオーバー使用状態であればステップＳ４０４に進み、ソフトハンドオーバー未使用状態への切替要求（ソフトハンドオーバー非対応無線リンク切替要求）を送出する。現在の無線リンクがすでにソフトハンドオーバー未使用状態である場合はそのまま処理を終える。
閾値より端末の移動速度が速い場合（閾値以上の場合）、ステップＳ４０５に進み現在の無線リンクがソフトハンドオーバー未使用状態であるかを判定する。もしソフトハンドオーバー未使用状態であればステップＳ４０６に進み、ソフトハンドオーバー使用状態への切替要求（ソフトハンドオーバー対応無線リンク切替要求）を送出する。現在の無線リンクがすでにソフトハンドオーバー使用状態である場合はそのまま処理を終える。
基地局では端末から送信されたソフトハンドオーバー使用／未使用切替要求をソフトハンドオーバー使用／未使用切替要求受信部３０８にて受信し、それをソフトハンドオーバー使用／未使用切替判定部３０９に転送する。
ソフトハンドオーバー使用／未使用切替判定部３０９では、ソフトハンドオーバー使用状態への切替要求の場合は、無線資源が割り当て可能であればソフトハンドオーバー使用状態への移行処理を実行する。一方、ソフトハンドオーバー未使用状態への切替要求の場合は、ソフトハンドオーバー未使用状態への移行処理を実行する。
ソフトハンドオーバー使用／未使用切替判定部３０９においてソフトハンドオーバー未使用状態からソフトハンドオーバー使用状態への切替えが行われた場合には、ソフトハンドオーバー使用／未使用切替指示送信部３０２は端末に対してソフトハンドオーバー使用状態への切替えを指示する切替指示を生成し、基地局送信部３００より送信する。また、ソフトハンドオーバー使用／未使用切替判定部３０９においてソフトハンドオーバー使用状態からソフトハンドオーバー未使用状態への切替えが行われた場合には、ソフトハンドオーバー使用／未使用切替指示送信部３０２は端末に対してソフトハンドオーバー未使用状態への切替えを指示する切替指示を生成し、基地局送信部３００より送信する。
その後、基地局１０１より送信された切替指示を受信した端末１００では、ソフトハンドオーバー使用／未使用切替部２０２が切替指示に従ってソフトハンドオーバー使用／未使用の切替処理を行う。
この実施の形態１によれば、必要な場合のみ端末からソフトハンドオーバー使用／未使用切替要求を送出するため、上り通信量の削減および干渉の減少の効果が期待できる。
実施の形態２．
図５は本実施の形態に係る移動体通信システム（無線通信システム）の全体構成図である。
端末１００と基地局１０１との間にはソフトハンドオーバー未使用状態の無線リンク１０２とソフトハンドオーバー使用状態の無線リンク１０３の２つの状態が存在し、切り替えることが可能となっている点は図１と同様である。
図５においては、ソフトハンドオーバー使用／未使用切替要求１０６の代わりに移動速度情報１０４が端末１００から基地局１０１へ送信される。
図６は、本実施の形態に係る端末１００の内部原理図である。
図６では、図２の構成よりソフトハンドオーバー使用／未使用切替要求判定部２０３を省略した構成となっている。
図７は、本実施の形態に係る基地局１０１の内部原理図である。
図７では、ソフトハンドオーバー使用／未使用切替要求受信部３０８の代わりに端末移動速度受信部３０７を配置している点以外は図３と同様の構成となっている。
なお、本実施の形態では、ソフトハンドオーバー使用／未使用切替判定部３０９は切替判定部及び無線リンク切替部に相当する。
この実施の形態においては、端末は移動速度情報を定期的に送信し、基地局はそれを受信しソフトハンドオーバー使用／未使用状態の切替えを判定する。この実施の形態におけるソフトハンドオーバー使用／未使用の切替えの判定方法およびその手順を説明する。
端末では速度検出部２０５により自身の速度を検出する。端末送信部２００により、移動速度情報１０４を定期的に基地局に向けて送信する。
図８はこの実施の形態における基地局の処理の手順を示すフローチャートである。
基地局では端末からの移動速度情報１０４をステップＳ５０１で端末移動速度受信部３０７にて受信し、ステップＳ５０２でソフトハンドオーバー使用／未使用切替判定部３０９にて閾値と比較する。あらかじめ指定された閾値と端末の移動速度を比較判定し、閾値より端末の移動速度が遅い場合（閾値未満の場合）、ステップＳ５０３に進み現在の無線リンクがソフトハンドオーバー使用状態であるかを判定する。もしソフトハンドオーバー使用状態であればソフトハンドオーバー未使用状態への切替えを行い、ステップＳ５０４に進み、ソフトハンドオーバー使用／未使用切替指示送信部３０２において、ソフトハンドオーバー未使用状態への切替指示を生成し送出する。現在の無線リンクがすでにソフトハンドオーバー未使用状態である場合はそのまま処理を終える。
閾値より端末の移動速度が速い場合（閾値以上の場合）、ステップＳ５０５に進み現在の無線リンクがソフトハンドオーバー未使用状態であるかを判定する。もしソフトハンドオーバー未使用状態であればソフトハンドオーバー使用状態への切替えを行い、ステップＳ５０６に進み、ソフトハンドオーバー使用／未使用切替指示送信部３０２において、ソフトハンドオーバー使用状態への切替指示を生成し送出する。現在の無線リンクがすでにソフトハンドオーバー使用状態である場合はそのまま処理を終える。以降の処理は、実施の形態で説明したものと同様である。
この実施の形態２によれば、ソフトハンドオーバー使用／未使用の切替えの判断を基地局で行う為、端末の処理量の削減が期待できる。
実施の形態３
図９は本実施の形態に係る移動体通信システム（無線通信システム）の全体構成図である。
端末１００と基地局１０１との間にはソフトハンドオーバー未使用状態の無線リンク１０２とソフトハンドオーバー使用状態の無線リンク１０３の２つの状態が存在し、切り替えることが可能となっている点は図１と同様である。
図９においては、ソフトハンドオーバー使用／未使用切替要求１０６又は移動速度情報１０４の代わりに伝播品質情報１０５が端末１００から基地局１０１へ送信される。この伝播品質情報は、端末１００と基地局１０１との間で使用されている無線リンクの伝播品質（通信品質）を示す情報であり、通信品質情報に相当する。
図１０は、本実施の形態に係る端末１００の内部原理図である。
図１０では、速度検出部２０５の代わりに伝播品質測定部を配置している点以外は図６と同様の構成となっている。伝播品質測定部２０４は、端末１００と基地局１０１との間で使用されている無線リンクの伝播品質（通信品質）の測定を行い、通信品質測定部に相当する。
図１１は、本実施の形態に係る基地局１０１の内部原理図である。
図において、３００〜３０２及び３０９は図３に示したものと同様である。
伝播品質測定部３０３は受信したブロックエラーレート等から伝播品質を測定するものである。履歴格納部３０４は過去の品質情報等を履歴として保管し、必要に応じて読み出すものである。伝播品質情報受信部３０５は端末から報告された伝播品質情報を受信するものである。端末移動速度推定部３０６は伝播品質情報およびその履歴から端末の移動速度を推定するものである。
本実施の形態においては、ソフトハンドオーバー使用／未使用切替指示送信部３０２は、切替指示生成部に相当し、伝播品質測定部３０３は通信品質測定部に相当し、端末移動速度推定部３０６は移動速度推定部に相当し、ソフトハンドオーバー使用／未使用切替判定部３０９は切替判定部及び無線リンク切替部に相当する。
本実施の形態においては、端末は伝播品質情報を定期的に送信し、基地局はそれを受信もしくは、基地局自身で品質測定を行い、それから端末の移動速度を推定し、ソフトハンドオーバー使用／未使用状態の切替えを判定する。
この実施の形態におけるソフトハンドオーバー使用／未使用の切替えの判定方法およびその手順を説明する。
端末では伝播品質測定部２０４により伝播品質を測定する。端末送信部２００により、伝播品質情報１０５を定期的に基地局に向けて送信する。
図１２はこの実施の形態における基地局の処理の手順を示すフローチャートである。
基地局では端末からの伝播品質情報１０５を伝播品質測定部２０４でステップＳ６０１により受信し、ステップＳ６０３で履歴格納部３０４にて格納する。
また、上り回線の品質はステップＳ６０２で伝播品質測定部３０３にて基地局自身で測定することもできる。この場合もステップＳ６０３で履歴格納部３０４にて格納する。基地局で伝播品質を測定する方法は、特にＴＤＤなど上り回線と下り回線が同一の周波数を用いている場合には、上下同一の伝播品質となるため効果的な方法となる。
端末移動速度推定部３０６により、ステップＳ６０４で履歴の変化の差分をとりその変動の大きさを評価する。伝播品質の短期変動が激しい場合は高速移動中と判断し、ステップＳ６０５にて変動に見合う移動速度を推定する。このように品質情報の履歴の差分を用いることにより速度の推定の精度を上げることが可能になる。
推定移動速度を元にステップＳ６０６でソフトハンドオーバー使用／未使用切替判定部３０９にて閾値と比較する。あらかじめ指定された閾値より端末の推定移動速度が速いかどうかを判定し、閾値より端末の推定移動速度が遅い場合（閾値未満の場合）、ステップＳ６０７に進み現在の無線リンクがソフトハンドオーバー使用状態であるかを判定する。もしソフトハンドオーバー使用状態であればソフトハンドオーバー未使用状態への切替えを行い、ステップＳ６０８に進み、ソフトハンドオーバー使用／未使用切替指示送信部３０２において、ソフトハンドオーバー未使用状態への切替指示を生成し送出する。現在の無線リンクがすでにソフトハンドオーバー未使用状態である場合はそのまま処理を終える。
閾値より端末の推定移動速度が速い場合（閾値以上の場合）、ステップＳ６０９に進み現在の無線リンクがソフトハンドオーバー未使用状態であるかを判定する。もしソフトハンドオーバー未使用状態であればソフトハンドオーバー使用状態への切替えを行い、ステップＳ６１０に進み、ソフトハンドオーバー使用／未使用切替指示送信部３０２において、ソフトハンドオーバー使用状態への切替指示を生成し送出する。現在の無線リンクがすでにソフトハンドオーバー使用状態である場合はそのまま処理を終える。
この実施の形態３によれば、端末から報告を受けた伝播品質もしくは基地局で測定した伝播品質により、基地局にて移動速度を推定するため、速度検出機能を備えない端末においても移動速度によるソフトハンドオーバー使用／未使用の切替えを期待できる。
ここで、実施の形態１〜３にて説明した移動体通信システム、基地局、端末の特徴を以下にて再言する。
実施の形態１〜３に示した移動体通信システムは、
端末の移動速度またはそれに相当するものによりソフトハンドオーバー使用／未使用を切替えることを特徴とする。
実施の形態１〜３に示した端末は、
移動体通信システムにおいて端末の移動速度またはそれに相当するものによりソフトハンドオーバー使用／未使用を切替えることを特徴とする。
実施の形態１〜３に示した基地局は、
移動体通信システムにおいて端末の移動速度またはそれに相当するものによりソフトハンドオーバー使用／未使用を切替えることを特徴とする。
実施の形態１に示した端末は、
移動体通信システムにおいて端末の移動速度またはそれに相当するものによりソフトハンドオーバー使用／未使用を切替える処理において、自身の移動速度を検出し、それを用いてソフトハンドオーバー使用／未使用の切替えの判定をし、切替え要求を基地局へ送出することを特徴とする。
実施の形態１に示した基地局は、
移動体通信システムにおいて端末の移動速度またはそれに相当するものによりソフトハンドオーバー使用／未使用を切替える処理において、端末で移動速度の検出及びソフトハンドオーバー使用／未使用の切替えの判定をさせ、端末からのソフトハンドオーバー使用／未使用の切替え要求を受け、ソフトハンドオーバー使用／未使用切替え処理を実行することを特徴とする。
実施の形態２に示した基地局は、
移動体通信システムにおいて端末の移動速度またはそれに相当するものによりソフトハンドオーバー使用／未使用を切替える処理において、端末から移動速度情報を受信し、それを用いてソフトハンドオーバー使用／未使用の切替えの判定をし、ソフトハンドオーバー使用／未使用の切替えメッセージを端末に送出することを特徴とする。
実施の形態３に示した基地局は、
移動体通信システムにおいて端末の移動速度またはそれに相当するものによりソフトハンドオーバー使用／未使用を切替える処理において、端末が送出した伝播品質情報を受信し、それを用いて端末の移動速度を推定し、それを用いてソフトハンドオーバー使用／未使用の切替えの判定をし、ソフトハンドオーバー使用／未使用の切替えメッセージを端末に送出することを特徴とする。
実施の形態３に示す基地局は、
移動体通信システムにおいて端末の移動速度またはそれに相当するものによりソフトハンドオーバー使用／未使用を切替える処理において、伝播品質情報を測定し、それを用いて端末の移動速度を推定し、それを用いてソフトハンドオーバー使用／未使用の切替えの判定をし、ソフトハンドオーバー使用／未使用の切替えメッセージを送出することを特徴とする。
実施の形態１〜３に示す移動体通信システムは、
端末の移動速度またはそれに相当するものがある閾値より遅い場合かつ現在の無線リンクがソフトハンドオーバー使用状態である場合、ソフトハンドオーバー未使用状態への切替えを決定することを特徴とする。
実施の形態１〜３に示す移動体通信システムは、
端末の移動速度またはそれに相当するものがある閾値より速い場合かつ現在の無線リンクがソフトハンドオーバー未使用状態である場合、ソフトハンドオーバー使用状態への切替えを決定することを特徴とする。
実施の形態１〜３に示す移動体通信システムは、
ソフトハンドオーバー使用／未使用の切替えの判定をする際に閾値にヒステリシスを持たせることを特徴とする。
実施の形態３に示す移動体通信システムは、
ソフトハンドオーバー使用／未使用の切替えの判定をする際に過去の品質情報の履歴より、その差分から移動速度を推定することを特徴とする。
実施の形態３に示す移動体通信システムは、
端末の移動速度またはそれに相当するものに加えて端末からの品質報告もしくは基地局における品質測定の情報も考慮した上で判定し、ソフトハンドオーバー使用／未使用の切替えを行うことを特徴とする。
実施の形態１〜３に示す移動体通信システムは、
同一種類のチャネルにおいてソフトハンドオーバー使用／未使用の切替えをすることを特徴とする。
実施の形態１〜３に示す移動体通信システムは、
異なる種類のチャネルに切替えることによりソフトハンドオーバー使用／未使用の切替えをすることを特徴とする。
産業上の利用可能性
以上のように、本発明によれば、移動端末装置の移動速度に基づき無線リンクの切替処理を行うため、移動端末装置が高速で移動している場合は、品質の確保のためにソフトハンドオーバー対応無線リンクに切替えることができ、移動端末装置が低速で移動している場合又は停止している場合は無線資源の節約のためにソフトハンドオーバー非対応無線リンクに切替えることができる。
また、本発明によれば、移動端末装置で無線リンクの切替え要否を判断し、切替えが必要な場合のみ基地局装置に切替要求を送信するため、上り通信量の削減および干渉の減少の効果が期待できる。
また、本発明によれば、移動端末装置の移動速度情報に基づき基地局装置で無線リンクの切替え要否を判断するため、移動端末装置の処理量の削減が期待できる。
また、本発明によれば、基地局装置にて移動端末装置の移動速度を推定し、推定移動速度に基づき無線リンクの切替処理を行うため、移動端末装置が速度検出機能を備えていない場合であっても、適切な無線リンクの切替えを行うことができる。
【図面の簡単な説明】
図１は、実施の形態１に係る移動体通信システムの全体構成図。
図２は、実施の形態１に係る端末の内部原理図。
図３は、実施の形態１に係る基地局の内部原理図。
図４は、実施の形態１に係る切替処理を示すフローチャート図。
図５は、実施の形態２に係る移動体通信システムの全体構成図。
図６は、実施の形態２に係る端末の内部原理図。
図７は、実施の形態２に係る基地局の内部原理図。
図８は、実施の形態２に係る切替処理を示すフローチャート図。
図９は、実施の形態３に係る移動体通信システムの全体構成図。
図１０は、実施の形態３に係る端末の内部原理図。
図１１は、実施の形態３に係る基地局の内部原理図。
図１２は、実施の形態３に係る切替処理を示すフローチャート図。
【図１】
2003105518.tif 000003
【図２】
2003105518.tif 000004
【図３】
2003105518.tif 000005
【図４】
2003105518.tif 000006
【図５】
2003105518.tif 000007
【図６】
2003105518.tif 000008
【図７】
2003105518.tif 000009
【図８】
2003105518.tif 000010
【図９】
2003105518.tif 000011
【図１０】
2003105518.tif 000012
【図１１】
2003105518.tif 000013
【図１２】
2003105518.tif 000014
【国際調査報告】
2003105518.tif 000015
2003105518.tif 000016
2003105518.tif 000017
2003105518.tif 000018